(57)【要約】【課題】遊技機の扉状枠の取付部材において、ヒンジピンをピン収容孔部に嵌め込むにあたって、作業者の目視確認を省略することができて作業効率性の向上を図る。【解決手段】ヒンジヒメール３はヒンジピン２５を回転可能に収容するピン収容孔部３６と、ヒンジピン２５をピン収容孔部３６に収容させる際のピン挿入口部３７と、ピン挿入口部３７からピン収容孔部３６に到達するまでの案内通路部３８と、ヒンジピン２５をピン収容孔部３６に向けて付勢するスライダ４５とを有する。案内通路部３８は、ヒンジピン２５の回転軸線交差平面視略く字状に形成され、且つ略く字状の折曲個所３９がスライダ４５の付勢方向と抗する方向に配置され、スライダ４５のヒンジピン２５の当接面には、案内通路部３８のピン挿入口部３７から略く字状の折曲個所３９までの範囲において、付勢方向にしたがってピン収容孔部３６に向かって傾く傾斜当接部４７が形成されている。【選択図】図２
0003141956.tif 000002
【実用新案登録請求の範囲】
【請求項１】
遊技機本体の外枠となる基枠体に、片側開閉可能に取り付けられる扉状枠の取付部材であって、
前記基枠体あるいは前記扉状枠の一方に設置されたヒンジメールと、前記基枠体あるいは前記扉状枠の他方に設置されたヒンジヒメールとを備え、
前記ヒンジメールは片側開きの回転軸となるヒンジピンを有し、
前記ヒンジヒメールは、前記ヒンジピンを回転可能に収容するピン収容孔部と、前記ヒンジピンを前記ピン収容孔部に収容させる際のピン挿入口部と、前記ピン挿入口部から前記ピン収容孔部に到達するまでの案内通路部と、前記ヒンジピンを前記ピン収容孔部に向けて付勢するスライダとを有し、
前記案内通路部は、前記ヒンジピンの回転軸線交差平面視略く字状に形成され、且つ略く字状の折曲個所が前記スライダの付勢方向と抗する方向に配置され、
前記スライダのヒンジピン当接面には、前記案内通路部の前記ピン挿入口部から前記略く字状の折曲個所までの範囲において、前記ヒンジピンを前記ピン収容孔部に向けて移動させた際に前記スライダの付勢力に抗して前記スライダを移動させる傾斜当接部が形成されていることを特徴とする扉状枠の取付部材。
【考案の詳細な説明】
【技術分野】
【０００１】
本考案は、パチンコ機やスロットマシンに代表される遊技機の外枠となる基枠体に対して、片側開閉可能に取り付けられる扉状枠の取付部材に関する。
【背景技術】
【０００２】
従来、パチンコ機やスロットマシンに代表される遊技機にあっては、遊技機本体の枠組みをなす基枠体と、その基枠体の前面側（遊技者側）において片側開閉可能に取り付けられる扉状枠とを備える。なお、パチンコ機においては、この扉状枠を、前枠、内枠、ガラス枠等と称する場合もある。
【０００３】
扉状枠は、ヒンジ構造を有した取付部材を介して、片側縁部同士と連結させるように基枠体に取り付けられる。具体的には、雄機構を有したヒンジメールを扉状枠に設置するとともに、雌機構を有したヒンジヒメールを基枠体に設置する。次いで、ヒンジメールの雄機構となるヒンジピンを、ヒンジヒメールの雌機構となるピン収容孔部に嵌め込んで、ヒンジヒメールとヒンジメールを一体化させて取付部材と成し、扉状枠を基枠体に取り付けたものとしている。
【考案の開示】
【考案が解決しようとする課題】
【０００４】
ところで、上記した扉状枠の基枠体への取り付け作業においては、ヒンジピンをピン収容孔部に嵌め込むにあたり、作業者は、ヒンジピンに対するピン収容孔部の位置を目視確認しながら行うことを要する。また一方で、扉状枠は非常に重いものであるため、目視確認を行うのが困難な状況となっており、作業上、煩雑なものとなっていた。
【０００５】
本考案は、このような事情に鑑みなされたものであって、本考案が解決しようとする課題は、遊技機の扉状枠の取付部材において、ヒンジメールのヒンジピンを、ヒンジヒメールのピン収容孔部に嵌め込むにあたって、作業者の目視確認を省略することができて作業効率性の向上を図ることにある。
【課題を解決するための手段】
【０００６】
上記課題を解決するため、本考案に係る扉状枠の取付部材は、次の手段をとる。
すなわち、本考案に係る扉状枠の取付部材は、遊技機本体の外枠となる基枠体に、片側開閉可能に取り付けられる扉状枠の取付部材であって、前記基枠体あるいは前記扉状枠の何れか一方に設置されたヒンジメールと、前記基枠体あるいは前記扉状枠の残りの他方に設置されたヒンジヒメールとを備え、前記ヒンジメールは片側開きの回転軸となるヒンジピンを有し、前記ヒンジヒメールは、前記ヒンジピンを回転可能に収容するピン収容孔部と、前記ヒンジピンを前記ピン収容孔部に収容させる際のピン挿入口部と、前記ピン挿入口部から前記ピン収容孔部に到達するまでの案内通路部と、前記ヒンジピンを前記ピン収容孔部に向けて付勢するスライダとを有し、前記案内通路部は、前記ヒンジピンの回転軸線交差平面視略く字状に形成され、且つ略く字状の折曲個所が前記スライダの付勢方向と抗する方向に配置され、前記スライダのヒンジピン当接面には、前記案内通路部の前記ピン挿入口部から前記略く字状の折曲個所までの範囲において、前記ヒンジピンを前記ピン収容孔部に向けて移動させた際に前記スライダの付勢力に抗して前記スライダを移動させる傾斜当接部が形成されていることを特徴とする。
【０００７】
上記の扉状枠の取付部材によれば、作業者が、ヒンジメールのヒンジピンを、ヒンジヒメールのピン挿入口部から挿入させるように、基枠体および扉状枠を配置し、ピン挿入口部にヒンジピンを挿入したと確認した場合には、そのヒンジピンが略く字状の折曲個所に位置するように、基枠体対し扉状枠を所定方向移動させる。そうすると、ヒンジピンは、スライダに当接する面となる傾斜当接部に当接し、付勢力に抗しながら案内通路部に沿って移動する。つまり、移動するヒンジピンは、付勢方向の抗する方向にスライダを移動させつつ、案内通路部の形状にしたがって案内されることとなる。
【０００８】
さらに、ヒンジピンが略く字状の折曲個所に移動した場合に、作業者が基枠体対し扉状枠を所定方向移動させる。そうすると、ヒンジピンは、スライダの付勢力により、略く字状の折曲個所からピン収容孔部までの案内通路部の形状にしたがって自動的に移動させられ、ピン収容孔部に嵌め込まれる。
このようにして、ヒンジピンをピン収容孔部に収容するに際して、作業者は、扉状枠を基枠体の側方向に押し込むようにすれば、ヒンジピンをピン収容孔部まで案内し、ピン収容孔部に嵌め込むことができる。
【考案の効果】
【０００９】
本考案によれば、ヒンジメールのヒンジピンを、ヒンジヒメールのピン収容孔部に嵌め込むにあたって、ヒンジピンをピン収容孔部まで案内し、ピン収容孔部に嵌め込むことができるので、作業者の目視確認作業を省略することができ、作業効率性の向上を図ることができる。
【考案を実施するための最良の形態】
【００１０】
以下、本考案を実施するための最良の形態について、図面を参照しながら説明する。
図１の符号５０は、実施の形態の取付部材１を備えたパチンコ機である。パチンコ機５０は、前面を開口したパチンコ機本体の外枠となる基枠体５１と、その基枠体５１の前面側の開口を蓋するように取り付けられる扉状枠５２とを備える。なお、図１中の手前側が前面側となっている。実施の形態の取付部材１は、基枠体５１に扉状枠５２を片側開閉可能に取り付ける。
【００１１】
図２は、基枠体５１および扉状枠５２から外した取付部材１について示すものである。図２（Ａ）は取付部材１の分解斜視図、図２（Ｂ）は付勢機構部４０の分解斜視図である。
取付部材１は、図２（Ａ）に示すように、扉状枠５２に設置される雄機構を有したヒンジメール２と、基枠体５１に設置される雌機構を有したヒンジヒメール３とを備える。ヒンジメール２およびヒンジヒメール３が両者の雌雄機構を一体化させた場合に、取付部材１と成し、扉状枠５２を基枠体５１に対し片側開閉可能に取り付けたものとなる。
【００１２】
ヒンジメール２は、図２（Ａ）に示すように、扉状枠５２の上部角部に設置されるものであって、金属板を側面視略Ｌ字状に折曲して形成される。ヒンジメール２は、扉状枠５２の取り付け個所となる取付板部２１と、この取付板部２１の交差方向に延びるピン支持板部２２とを備える。取付板部２１は、扉状枠５２の側部に螺子固定するための適宜の螺子孔２３が設けられている。ピン支持板部２２には、取付板部２１側（略Ｌ字状の内側、パチンコ機５０の下方）に突出するヒンジピン２５が設けられている。ヒンジピン２５は、後に説明するヒンジヒメール３のピン収容孔部３６に嵌め込められ、ヒンジメール２（扉状枠５２）の回転軸線を構成するものであり、適宜の棒状に形成されている。
【００１３】
ヒンジヒメール３は、図２（Ａ）に示すように、基枠体５１の上部角部に設置されるものである。ヒンジヒメール３は、基枠体５１の取り付け個所となるブラケット部３１と、このブラケット部３１の端部から突出する突出係合部３５と、突出係合部３５の下部に取り付けられる付勢機構部４０とを備える。
ブラケット部３１は、ヒンジヒメール３のうち基枠体５１に取り付けられる個所であって、金属板を側面視略Ｌ字状に折曲して形成され、螺子固定するために適宜の螺子孔３２が設けられている。
【００１４】
図３は、係合状態ではないヒンジメール２およびヒンジヒメール３の上面図である。
突出係合部３５は、ヒンジメール２のヒンジピン２５が係合する個所であって、図２（Ａ）および図３に示すように、ヒンジピン２５を回転可能に収容するピン収容孔部３６と、ヒンジピン２５をピン収容孔部３６に収容させる際の挿入口となるピン挿入口部３７と、ピン挿入口部３７からピン収容孔部３６に到達するまでヒンジピン２５を案内する案内通路部３８とを備える。
【００１５】
ピン収容孔部３６は、図２（Ａ）および図３に示すように、その内径がヒンジピン２５の外径より僅かに大きく設定されて形成され、ヒンジピン２５をスムーズに回転可能に収容する。
ピン挿入口部３７は、ヒンジピン２５をピン収容孔部３６に収容させる際にヒンジピン２５を挿入させていく挿入口であり、ピン収容孔部３６から離れていくにしたがって口幅が拡大するように形成されている。なお、ピン挿入口部３７の開口方向は、後に詳述する付勢機構部４０の付勢方向と交差する方向となっている。
【００１６】
案内通路部３８は、ヒンジピン２５をピン挿入口部３７に挿入した際に、このヒンジピン２５がピン収容孔部３６に回転可能に嵌め込まれるまで、ヒンジピン２５をピン挿入口部３７からピン収容孔部３６まで案内するための通路である。
案内通路部３８は、図２（Ａ）および図３に示すように、ヒンジピン２５の回転軸線交差平面視略く字状に形成されている。また、略く字状の折曲個所３９は、基枠体５１側（ブラケット部３１側）に位置するように設定されている。つまり、案内通路部３８は、後に詳述する付勢機構部４０の付勢方向と抗する反対方向に、略く字状の折曲個所３９が位置するように形成されている。言い換えれば、ピン収容孔部３６およびピン挿入口部３７が、略く字状の折曲個所３９に対して、付勢機構部４０の付勢方向側に位置するように、案内通路部３８は形成されている。突出係合部３５には、付勢機構部４０を螺子固定する際の適宜の螺子孔３３が設けられている。
【００１７】
付勢機構部４０は、図３に示すように、案内通路部３８の下方に位置するように、突出係合部３５の下部に螺子固定され設置される。
付勢機構部４０は、ヒンジピン２５をピン収容孔部３６に向けて付勢するものであって図２（Ａ）、図２（Ｂ）および図３に示すように、突出係合部３５に螺子固定される設置基体４１と、設置基体４１にスライド可能に配されるスライダ４５と、スライダ４５を付勢する付勢ばね４９とを備える。なお、図示のスライダ４５は、１枚の金属板が折り曲げ加工されてなるものであって、図中の奥側で連なる構造となっている。
【００１８】
設置基体４１は、金属板を折曲して形成されるものであって、突出係合部３５の突出方向に延びるスライド凹部４２が形成されている。スライド凹部４２は、スライダ４５をスライド可能に収容する個所である。スライド凹部４２のスライド方向両側部においては、突出係合部３５に固定させるためのフランジ部４１Ａが設けられている。フランジ部４１Ａには、突出係合部３５に螺子固定させるための適宜の螺子孔４１Ｂが設けられている。
【００１９】
スライド凹部４２には、突出係合部３５に設けられたピン収容孔部３６、ピン挿入口部３７、案内通路部３８、略く字状の折曲個所３９の形状に合致して下方まで貫通する貫通孔部４３が設けられている。また、設置基体４１の付勢方向先端側には、スライダ４５が付勢方向最先端停止位置に位置した場合に、スライダ４５の先端が干渉しないようにスライダ４５の先端が挿抜できるスライド部挿抜孔４４Ａが形成されているとともに、スライダ４５の傾斜当接部４７の当接する個所となるスライダ当接部４４Ｂが形成されている。なお、図３に示すように、スライド凹部４２の隣接位置には、付勢ばね４９の付勢方向先端側が係止する係止突起４４Ｃが設けられている。
【００２０】
スライダ４５は、上記スライド凹部４２内で進退可能に配置され、突出係合部３５の突出方向に付勢ばね４９により付勢される。なお、この突出方向が付勢の前進（先端）方向で、その反対方向が後退（基端）方向となる。
スライダ４５には、その前進方向において、上述した突出係合部３５に設けられたピン収容孔部３６と合致する保持用切欠き部４６が形成されている。また、スライダ４５には、ヒンジピン２５をピン挿入口部３７から挿入した際に、このヒンジピン２５が当接する傾斜当接部４７が形成されている。なお、この傾斜当接部４７の先端側は、ヒンジピン２５を収容している状態時においてスライダ当接部４４Ｂと当接する。
【００２１】
保持用切欠き部４６は、図３等に示すように、ヒンジピン２５の収容を安定的なものとするために、ピン収容孔部３６と貫通孔部４３とともに上面視略円形形状を形成する。
傾斜当接部４７は、ピン挿入口部３７からヒンジピン２５を挿入した際に、ヒンジピン２５が当接するヒンジピン当接面となっている。この傾斜当接部４７は、ヒンジピン２５をピン収容孔部３６に向けて移動させた際には、スライダ４５の付勢力に抗してスライダ４５を移動させるものである。具体的には、傾斜当接部４７は、上述した付勢機構部４０の付勢方向にしたがってピン収容孔部３６（保持用切欠き部４６）に向かって傾いていくように形成されている。これにより、ヒンジピン２５をピン収容孔部３６に向けて移動させた際には、スライダ４５の付勢力に抗してスライダ４５を移動させることとなる。
【００２２】
スライダ４５には、付勢方向基端側において、付勢方向の前進を規制するストッパ部４８Ａが設けられている。ストッパ部４８Ａは、ヒンジピン２５を安定的に収容するものであって、傾斜当接部４７がスライダ当接部４４Ｂに接近している状態では、スライダ４５の付勢方向の前進を規制する。
【００２３】
また、スライダ４５の付勢方向基端側には、付勢ばね４９の付勢方向基端側が係止する係止突起４８Ｂが設けられている。つまり、付勢ばね４９は、一端がスライダ４５の係止突起４８Ｂに係止し、他端が設置基体４１の係止突起４４Ｃに係止しているので、突出係合部３５の突出方向にスライダ４５を付勢する。
【００２４】
以上のように構成された実施の形態の扉状枠５２の取付部材１によれば、次のような作用効果を奏することができる。
図４は、ヒンジピン２５をピン挿入口部３７から挿入し、略く字状の折曲個所３９に移動させた場合のヒンジメール２およびヒンジヒメール３の上面図である。
図５は、ヒンジピン２５を略く字状の折曲個所３９からピン収容孔部３６に移動させた場合のヒンジメール２およびヒンジヒメール３の上面図である。
図６は、扉状枠５２を閉じた状態のパチンコ機５０の上部角部を示す拡大斜視図である。
【００２５】
まず作業者は、ヒンジメール２を扉状枠５２の上部角部に設置し、ヒンジヒメール３を基枠体５１の上部角部に設置する。
次いで、作業者は、扉状枠５２のヒンジメール２のヒンジピン２５を、基枠体５１のヒンジヒメール３のピン挿入口部３７から挿入させるように、基枠体５１に対し扉状枠５２を配置する。
【００２６】
ここで、作業者は、ピン挿入口部３７にヒンジピン２５を挿入したと確認した場合には、図４に示すように、そのヒンジピン２５が略く字状の折曲個所３９に位置するように、扉状枠５２を基枠体５１の側方向に押し込んでいく。そうすると、ヒンジピン２５は、スライダ４５に当接する面となる傾斜当接部４７に当接し、付勢力に抗しながら案内通路部３８に沿って移動する。つまり、移動するヒンジピン２５は、付勢方向の抗する反対方向にスライダ４５を移動させつつ、案内通路部３８の形状にしたがって案内されることとなる。
【００２７】
さらに図４に示すように、ヒンジピン２５が略く字状の折曲個所３９に移動した場合に、作業者が扉状枠５２を基枠体５１の側方向に押し込む。そうすると、図５に示すように、ヒンジピン２５は、付勢機構部４０の付勢力により、略く字状の折曲個所３９からピン収容孔部３６までの案内通路部３８の形状にしたがって自動的に移動させられ、ピン収容孔部３６に嵌め込まれる。
【００２８】
なお、図５に示すように、ヒンジピン２５がピン収容孔部３６に嵌め込まれた場合には、このヒンジピン２５を回転軸線として扉状枠５２を回転させ、片側開きとなっていた状態から、図６に示すような閉じた状態とすることができる。
【００２９】
このようにして、ヒンジピン２５をピン収容孔部３６に収容するに際して、作業者は、扉状枠５２を基枠体５１の側方向に押し込むようにすれば、ヒンジピン２５をピン収容孔部３６まで案内し、ピン収容孔部３６に嵌め込むことができる。
したがって、ヒンジピン２５をピン収容孔部３６に嵌め込むにあたって、ヒンジピン２５をピン収容孔部３６まで案内通路部３８の形状にしたがって案内し、ピン収容孔部３６に嵌め込むことができるので、作業者の目視確認作業を省略することができ、作業効率性の向上を図ることができる。
【００３０】
また、上記のように構成された扉状枠５２の取付部材１によれば、図３等に示すように、保持用切欠き部４６、ピン収容孔部３６、および貫通孔部４３によって、上面視略円形形状が形成され、その上面視略円形形状は、付勢機構部４０により保持される。
そして、この保持された上面視略円形形状に、ヒンジピン２５が収容されることとなるので、ヒンジピン２５は、逆戻りすることなく、ピン収容孔部３６に安定的に嵌め込めておくこととなり、安定的に回転することができる。つまり、扉状枠５２は、基枠体５１に対し、安定的に片側開閉可能な状態となる。
【００３１】
なお、本考案に係る取付部材にあっては、上記した実施の形態に限定されるものではなく、本考案の要旨を変更しない範囲で、適宜に変更するものであっても何ら問題の無いものとされる。
例えば、上記した取付部材１にあっては、ヒンジヒメール３側が基枠体５１側に設置され、ヒンジメール２側が扉状枠５２側に設置されて構成されるものであったが、これに限定されることなく、ヒンジメール２側が基枠体５１側に設置され、ヒンジヒメール３側が扉状枠５２側に設置されて構成されるものであってもよい。
【００３２】
また、上記した実施の形態中の扉状枠５２は、遊技機の一例であるパチンコ機の扉状枠５２を例に挙げて説明するものであった。しかしながら、本考案に係る遊技機の扉状枠としては、これに限定されることなく、スロットマシン等の適宜の遊技機において扉状に片側開閉する枠に利用することができる。
【図面の簡単な説明】
【００３３】
【図１】実施の形態の取付部材を備えたパチンコ機の斜視図である。
【図２】（Ａ）は取付部材の分解斜視図であり、（Ｂ）は付勢機構部の分解斜視図である。
【図３】係合状態ではないヒンジメールおよびヒンジヒメールの上面図である。
【図４】ヒンジピンを略く字状の折曲個所に移動させた場合のヒンジメールおよびヒンジヒメールの上面図である。
【図５】ヒンジピンをピン収容孔部に移動させた場合のヒンジメールおよびヒンジヒメールの上面図である。
【図６】扉状枠を閉じた状態のパチンコ機の上部角部を示す拡大斜視図である。
【符号の説明】
【００３４】
１  取付部材
２  ヒンジメール
３  ヒンジヒメール
２５  ヒンジピン
３１  ブラケット部
３５  突出係合部
３６  ピン収容孔部
３７  ピン挿入口部
３８  案内通路部
３９  略く字状の折曲個所
４０  付勢機構部
４２  スライド凹部
４５  スライダ
４６  保持用切欠き部
４７  傾斜当接部
５０  パチンコ機
５１  基枠体
５２  扉状枠
【図１】
0003141956.tif 000003
【図２】
0003141956.tif 000004
【図３】
0003141956.tif 000005
【図４】
0003141956.tif 000006
【図５】
0003141956.tif 000007
【図６】
0003141956.tif 000008